(57)【特許請求の範囲】
【請求項１】
自然光を採光し、上側位置に空気流出口を有する育成室と、前記育成室の下方に空気吹出孔を有する空気吹出板を介在させて形成された空気吹出室であって、側部に空気流入口を有する空気吹出室と、前記空気流出口と前記空気流入口との間を接続する空気通路と、該空気通路に配置された送風機と、前記空気吹出室から前記空気吹出板を介して前記育成室へ調整された空気が吹き出されるように空気を調整する空気調整手段と、を備えた自然光利用植物育成装置において、
前記育成室の一つの側面をその横方向の略全体に渡って複数枚建ての引戸で覆い、該引戸の上下に前記育成室を外部に連通させる隙間が形成されるようにし、前記送風機と前記空気流出口との間の位置において、前記空気通路を外部に連通させる通気口を設けたことを特徴とする自然光利用植物育成装置。
【請求項２】
前記通気口から前記空気通路内に外気を強制的に給気させる強制給気手段を設けたことを特徴とする請求項１記載の自然光利用植物育成装置。
【請求項３】
前記通気口から前記空気通路内の空気を外部に強制的に排気させる強制排気手段を設けたことを特徴とする請求項１記載の自然光利用植物育成装置。
【請求項４】
前記引戸の床上約３０ｃｍの部分を遮光部とするとともに、前記育成室の前記引戸で覆われていない側面の床上約３０ｃｍの部分を遮光部としたことを特徴とする請求項１乃至３のいずれかに記載の自然光利用植物育成装置。
【発明の詳細な説明】
【０００１】
【発明の属する技術分野】
本発明は、植物の育種又は栽培など、農学の研究、実験に使用する自然光（太陽光）を利用した自然光利用植物育成装置に関するものである。
【０００２】
【従来の技術】
自然光利用植物育成装置は、植物の環境因子である温度、湿度などを人為的に制御した環境下で自然光を利用して植物を育成するために使用する装置であり、植物を収容する育成室内の温度及び湿度の制御は、育成室の外部に配置された冷却コイル、電気ヒータ、加湿器等の空気調整装置（空気調和装置）を用いて、所望の温度や湿度に制御した空気を送風機によって循環させ、空気吹出部から育成室内に吹き出すことにより行われている。
【０００３】
このような自然光利用植物育成装置の従来例について、図４及び図５を参照して説明する。
【０００４】
図４は従来の自然光利用植物育成装置を示す概略斜視図、図５はこの従来の自然光利用植物育成装置を示す概略縦断面図である。
【０００５】
この従来の植物育成装置は、図４及び図５に示すように、自然光を採光し、上側位置に空気流出口（図４では省略）１を有する育成室２と、空気吹出孔３ａ（図４では省略）を有する空気吹出板３と、育成室２の下方に空気吹出板３を介在させて形成された空気吹出室４とを備えている。空気吹出板３は、育成室２の床板となっている。空気吹出室４は、その側部に空気流入口５を有する。また、この植物育成装置は、空気流出口１と空気流入口５との間を接続する空気通路６と、空気通路６に配置された送風機７、電気ヒータ８及び冷却コイル９と、空気吹出室４に配置された遠心噴霧式の加湿器１０と、を備えている。
【０００６】
育成室２の前側（通常は南側）の側面、両横側（通常は東側及び西側）の側面及び上面が、透明のガラス板１１を用いて構成されており、育成室２内に自然光が採光されるようになっている。育成室２の後側の側面（通常は北側）は空気通路６との間の仕切板で構成されている。
【０００７】
そして、育成室２の前側の側面には、横方向の略半分に渡って外開き式の片開き扉１２が設けられている。片開き扉１２は、主として、ガラス板１１と該ガラス板１１を支持するフレーム１３とから構成されている。該フレーム１３の東側の側部が育成室２のフレームにヒンジ（図示せず）結合されており、片開き扉１２は、図４中の矢印で示すように、外側に回転して開閉することができるようになっている。また、片開き扉１２の周囲にはパッキン（図示せず）が設けられ、片開き扉１２を閉じたときに、育成室２が外部に対して気密に保たれるようになっている。
【０００８】
また、空気吹出室４の南側の側面には排気口１４が設けられ、送風機７と空気流出口１との間の位置において空気通路６を外部に連通させる通気口１５が設けられている。
【０００９】
前記従来の植物育成装置によれば、育成室２内への植物や機材等の出し入れは、片開き扉１２を開けて行われ、作動時には片開き扉１２が閉じられる。
【００１０】
そして、作動時には、送風機７によって、育成室２内の空気が空気流出口１から空気通路６内へ吸入される。同時に、通気口１５から外気が空気通路６内へ吸入される。吸入された空気は、送風機７から吹き出された後、電気ヒータ８及び冷却コイル９を通過して温度が調整された状態で、空気流入口５から空気吹出室４に供給される。空気吹出室４に供給された空気は、加湿器１０により湿度が調整された状態で、空気吹出板３の吹出孔３ａから育成室２に吹き出される。このとき、空気吹出室４の空気の一部がスライド付排気口１４から外部に排気される。なお、以上の動作により、育成室２内の圧力はやや陽圧となる。
【００１１】
なお、排気口１４及び通気口１５を設けて外気を導入するのは、育成室２内に収容した植物が光合成を行い育成室２内のＣＯ2ガスを吸収することによって育成室２内のＣＯ2ガス濃度が低下する、いわゆるＣＯ2飢餓を防止するためである。
【００１２】
【発明が解決しようとする課題】
ところで、自然光利用植物育成装置では、育成室２内の温度、湿度及び風速等を高精度に制御するものであるので、育成室２は外部に対して気密にすべきものと考えられており、前述したように、育成室２内へ植物や機材等の出し入れするために片開き扉１２が用いられてその周囲にパッキンが設けられ、排気口１４は空気吹出室４に設けられている。
【００１３】
しかしながら、前記従来の自然光利用植物育成装置では、育成室２内へ植物や機材等の出し入れするために、片開き扉１２が用いられていたので、次のような欠点があった。
【００１４】
すなわち、植物等の試験対象物を育成室２内に日常的に出し入れしたり、大型の棚や土壌恒温槽等の機材を育成室２内に設置することがあるが、片開き扉１２は育成室２の南側の側面にその横方向の略半分のみに渡って設けられているので、片開き扉１２の出入口付近の植物等を一旦取り出さないと、片開き扉１２が設けられていない側の領域に植物等を出し入れすることができず、不便である。
【００１５】
また、自然光利用植物育成装置が設置される場所は一般的に日当たりの良い周囲に障害物のない開けた所が多く、強風時には片開き扉１２の出入口付近に直接強い風が当たるおそれがあるが、片開き扉１２は開けたときに強風により煽られてしまい、育成室２への植物等の出し入れが困難である。
【００１６】
さらに、育成室２の出入口を広げるべく、片開き扉１２に代えて、育成室２の南側の側面にその略全体に渡って両開き扉を設けることが考えられるが、この場合には、片開き扉１２と同様に強風の影響を受けて植物等の出し入れが困難となるのみならず、両開き扉をヒンジにて取り付ける側面フレームに風圧荷重が集中してかかるので、構造的に問題が生じ易い。
【００１７】
ところで、一般の建造物では、出入口に引戸が用いられる場合もある。しかし、引戸はスライドするものであるので、引戸の上下に隙間が必ず形成されてしまい、本質的に引戸の内と外とを気密に保つことが極めて困難である。したがって、前述したように従来は育成室２は外部に対して気密にすべきものと考えられていたので、自然光利用植物育成装置の分野において引戸を採用することを当業者は全く想到し得なかったものである。
【００１８】
なお、自然光利用植物育成装置は、光源として太陽光線を利用するものであり、昼間に育成室２内の温度を設定値に保つための冷却負荷としては、日射エネルギーがその大部分を占める。一般的に、太陽光線が必要な部分は、試験対象である植物の地上部分のみであり、鉢やポットなどの植物の地下部分（一般的には、育成室２の床上約３０ｃｍの部分）には太陽光線は必要としない。それにもかかわらず、前記従来の自然光利用植物育成装置では、育成室２の南側及び東西側の側面における床（空気吹出板３）の位置から上の部分の全てを透光部としている。このため、前記従来の自然光利用植物育成装置では、不必要に冷却負荷が増大してしまう欠点があった。
【００１９】
本発明は、前記事情に鑑みてなされたもので、育成室内への植物等の出し入れが容易であるとともに構造的に問題が生じ難い自然光利用植物育成装置を提供することを目的とする。
【００２０】
また、本発明は、冷却負荷の低減を図ることができる自然光利用植物育成装置を提供することを目的とする。
【００２１】
【課題を解決するための手段】
前記課題を解決するため、本発明の第１の態様による自然光利用植物育成装置は、自然光を採光し、上側位置に空気流出口を有する育成室と、前記育成室の下方に空気吹出孔を有する空気吹出板を介在させて形成された空気吹出室であって、側部に空気流入口を有する空気吹出室と、前記空気流出口と前記空気流入口との間を接続する空気通路と、該空気通路に配置された送風機と、前記空気吹出室から前記空気吹出板を介して前記育成室へ調整された空気が吹き出されるように空気を調整する空気調整手段と、を備えた自然光利用植物育成装置において、前記育成室の一つの側面をその横方向の略全体に渡って複数枚建ての引戸で覆い、該引戸の上下に前記育成室を外部に連通させる隙間が形成されるようにし、前記送風機と前記空気流出口との間の位置において、前記空気通路を外部に連通させる通気口を設けたものである。
【００２２】
本発明の第２の態様による自然光利用植物育成装置は、前記第１の態様による自然光利用植物育成装置において、前記通気口から前記空気通路内に外気を強制的に給気させる強制給気手段を設けたものである。
【００２３】
本発明の第３の態様による自然光利用植物育成装置は、前記第１の態様による自然光利用植物育成装置において、前記通気口から前記空気通路内の空気を外部に強制的に排気させる強制排気手段を設けたものである。
【００２４】
本発明の第４の態様による自然光利用植物育成装置は、前記第１乃至第３のいずれかの態様による自然光利用植物育成装置において、前記引戸の床上約３０ｃｍの部分を遮光部とするとともに、前記育成室の前記引戸で覆われていない側面の床上約３０ｃｍの部分を遮光部としたものである。
【００２５】
本発明による自然光利用植物育成装置では、育成室は外部に対して気密にすべきであるという従来の技術常識に反して、育成室の一つの側面をその横方向の略全体に渡って複数枚建ての引戸で覆い、該引戸の上下に前記育成室を外部に連通させる隙間が形成されるようにしている。
【００２６】
このように、本発明では、育成室の一つの側面をその横方向の略全体に渡って複数枚建ての引戸で覆っているので、当該側面の横方向の略全体に渡って育成室の出入口とすることができ、したがって、育成室内への植物等の出し入れが容易となる。
【００２７】
また、本発明では、片開き扉や両開き扉のような回転扉ではなく、引戸が用いられているので、強風により煽られるようなことがなく、この点からも、育成室内への植物等の出し入れが容易となる。
【００２８】
さらに、本発明では、引戸が用いられているので、該引戸に強風による風圧荷重がかかっても、この風圧荷重は引戸の上下レールを介して分散してフレームに伝わるため、構造的に問題が生じ難い。
【００２９】
そして、本発明では、育成室の一つの側面をその横方向の略全体に渡って複数枚建ての引戸で覆い、該引戸の上下に前記育成室を外部に連通させる隙間が形成されるようにしており、育成室は外部に対して気密にすべきであるという従来の技術常識に反しているが、実際には次のように作動するので使用上全く問題がない。
【００３０】
すなわち、本発明の前記第１の態様による自然光利用植物育成装置によれば、強制給気手段や強制排気手段を用いることなく、前記通気口をそのまま大気に解放しておけば、送風機によって、育成室内の空気が空気流出口から空気通路内へ吸入されるとともに、通気口から外気が空気通路内へ吸入される。吸入された空気は、送風機から吹き出された後、空気調整装置により調整され、空気流入口から空気吹出室に供給され、空気吹出板の吹出孔から育成室に吹き出される。育成室内の空気は、前述したように空気流出口から空気通路内へ吸引される他、一部が引戸の上下の隙間から外部に排気される。以上の動作により、育成室内の圧力は大気圧に近いもののわずかに陽圧に保たれ、引戸の上下の隙間から外気が侵入することなく、外部の花粉、昆虫、ダニ類等の育成室内への侵入が阻止され、前述した従来の自然光利用植物育成装置と同様に使用することができる。
【００３１】
より一層確実に、外部の花粉、昆虫、ダニ類等の育成室内への侵入を阻止する必要がある場合には、本発明の前記第２の態様のように、前記通気口から前記空気通路内に外気を強制的に給気させる強制給気手段を設ければよい。この場合には、前述とほぼ同様に動作するが、前記通気口から前記空気通路内に外気が強制的に給気されることから、育成室内の圧力を比較的高い陽圧に保つことができるので、外部の花粉、昆虫、ダニ類等の育成室内への侵入を確実に阻止することができる。
【００３２】
一方、公害ガスによる影響を試験するために当該ガスを育成室内に充満させるいわゆる公害ガス暴露装置として用いたり、バイオテクノロジーにより遺伝子を人為的に操作した植物を育成室内で育成し当該植物の花粉等が外部の植物等に影響を与えないように当該植物の花粉等の外部への飛散を防止するいわゆるバイオハザード対策装置として用いたりする場合には、本発明の前記第３の態様のように、前記通気口から前記空気通路内の空気を外部に強制的に排気させる強制排気手段を設けばよい。
【００３３】
この場合、送風機及び強制排気手段によって、育成室内の空気が空気流出口から空気通路内へ吸入される。空気通路内に吸引された空気の一部は、強制排気手段によって通気口から外部に排気される。空気通路内に吸入された残りの空気は、送風機から吹き出された後、空気調整装置により調整され、空気流入口から空気吹出室に供給され、空気吹出板の吹出孔から育成室に吹き出される。また、強制排気手段によって育成室内が陰圧に引かれることになるので、引戸の上下の隙間から外気が育成室内に吸入される。以上の動作により、育成室内の圧力は陰圧に保たれ、引戸の上下の隙間から育成室内の空気が外部へ漏れることはなく、公害ガスや育成室内の植物の花粉等が外部に飛散することがない。
【００３４】
そして、本発明では、前述した従来の自然光利用植物育成装置における排気口１４に相当するものを特別に設ける必要がないので、その分製造が容易となり安価に提供することができる。
【００３５】
また、本発明の第４の態様による自然光利用植物育成装置によれば、引戸の床上約３０ｃｍの部分を遮光部とするとともに、前記育成室の前記引戸で覆われていない側面の床上約３０ｃｍの部分を遮光部としているので、植物の育成に不要でありいたずらに冷却負荷を増大させていた太陽光線が前記遮光部により遮られるので、冷却負荷を削減することができ、省エネルギーばかりでなく省資源にも役立つものである。
【００３６】
【発明の実施の形態】
以下、本発明の一実施の形態による自然光利用植物育成装置について、図１乃至図３を参照して説明する。
【００３７】
図１は、本発明の一実施の形態による自然光利用植物育成装置を示す概略斜視図、図２はこの自然光利用植物育成装置を示す概略縦断面図、図３はこの自然光利用植物育成装置の要部拡大断面図である。
【００３８】
本実施の形態による自然光利用植物育成装置は、図１及び図２に示すように、自然光を採光し、上側位置に空気流出口（図１では省略）２１を有する育成室２２と、空気吹出孔２３ａ（図１では省略）を有する空気吹出板２３と、育成室２２の下方に空気吹出板２３を介在させて形成された空気吹出室２４とを備えている。本実施の形態では、空気吹出板２３は、育成室２２の床板として兼用されている。空気吹出室２４は、その側部に空気流入口２５を有する。また、この植物育成装置は、空気流出口２１と空気流入口２５との間を接続する空気通路２６と、空気通路２６に配置された送風機２７、電気ヒータ２８及び冷却コイル２９と、空気吹出室２４に配置された遠心噴霧式の加湿器３０と、を備えている。なお、空気流出口２１には、必要に応じてフィルタ（図示せず）が設けられる。
【００３９】
本実施の形態では、電気ヒータ２８、冷却コイル２９及び加湿器３０が、空気吹出室２４から空気吹出板２３を介して育成室２２へ調整された空気が吹き出されるように空気を調整する空気調整手段を構成している。もっとも、本発明では、空気調整手段の構成は、このような構成に限定されるものではない。また、加湿器３０は、空気通路２６における冷却コイル２９の下側に配置してもよいし、蒸気加湿器や超音波加湿器など任意の加湿器を採用することができる。
【００４０】
また、図２に示すように、送風機２７と空気流出口２１との間の位置において空気通路２６を外部に連通させる通気口３５が設けられている。
【００４１】
育成室２２の前側（通常は南側）の側面、両横側（通常は東側及び西側）の側面及び上面が、透明のガラス板３１を用いて構成されており、育成室２２内に自然光が採光されるようになっている。育成室２２の後側の側面（通常は北側）は空気通路２６との間の仕切板で構成されている。
【００４２】
そして、育成室２２の前側の側面は、図１乃至図３に示すように、その横方向の略全体に渡って２枚建ての引戸４０，４１（すなわち、両引戸）で覆われ、引戸４０，４１の上下に育成室２２を外部に連通させる隙間Ａ，Ｂが形成されるようにしている。
【００４３】
図３に示すように、屋根フレーム５０が固定されている南側の軒先フレーム（梁）５１の下部に引戸上レール５２が固定され、南側の床フレーム５３に固定された断面Ｌ字状の取り付け部材５４上に引戸下レール５５が固定され、引戸上レール５２と引戸下レール５５との間にスライド自在に引戸４０，４１が設けられている。引戸４０，４１の上フレーム６０，６１が引戸上レール５２の隣合うレール部分にそれぞれ係合され、引戸４０，４１の下フレーム６２，６３に回転自在に設けられた戸車６４，６５が引戸下レール５５の隣合うレール部分にそれぞれ係合されている。上フレーム６０，６１と引戸４０，４１の中間フレーム６６，６７との間には、弾性部材６８，６９及び弾性部材７０，７１を介してそれぞれガラス板３１，３１が挟持されている。中間フレーム６６，６７と下フレーム６２，６３との間には、弾性部材７２，７３及び弾性部材７４，７５を介してそれぞれアルミパネル７６，７７が挟持されている。引戸４０，４１の下側から中間フレーム６６，６７までが遮光部となっており、床板（空気吹出板）２３から中間フレーム６６，６７までの高さがそれぞれ約３０ｃｍとされている。前記隙間Ａは引戸４０，４１の上フレーム６０，６１と引戸上レール５２との間に形成され、前記隙間Ｂは引戸下レール５５と引戸４０，４１の下フレーム６２，６３との間に形成されている。
【００４４】
なお、図３中、８０はベースチャンネル、８１は空気吹出室２６を画成するアルミパネルである。
【００４５】
また、本実施の形態では、引戸４０，４１と同様に、育成室２２の東側及び西側の側面の下側部分にはアルミパネル１００が用いられ、床板（空気吹出板）２３から約３０ｃｍまでの部分が遮光部とされている。
【００４６】
前記自然光利用植物育成装置では、育成室２２の南の側面をその横方向の略全体に渡って２枚建ての引戸４０，４１で覆っているので、南側の側面の横方向の略全体に渡って育成室２２の出入口とすることができ、したがって、育成室２２内への植物等の出し入れが容易となる。
【００４７】
また、前記自然光利用植物育成装置では、片開き扉や両開き扉のような回転扉ではなく、引戸４０，４１が用いられているので、強風により煽られるようなことがなく、この点からも、育成室２２内への植物等の出し入れが容易となる。
【００４８】
さらに、前記自然光利用植物育成装置では、引戸４０，４１が用いられているので、引戸４０，４１に強風による風圧荷重がかかっても、この風圧荷重は引戸４０，４１の上下レール５２，５５を介して分散してフレームに伝わるため、構造的に問題が生じ難い。
【００４９】
そして、前記自然光利用植物育成装置では、育成室２２の南側の側面をその横方向の略全体に渡って２枚建ての引戸４０，４１で覆い、引戸４０，４１の上下に育成室２２を外部に連通させる隙間Ａ，Ｂが形成されるようにしており、育成室２２は外部に対して気密にすべきであるという従来の技術常識に反しているが、実際には次のように作動するので使用上全く問題がない。
【００５０】
すなわち、前記自然光利用植物育成装置によれば、図２（ａ）に示すように、強制給気手段や強制排気手段を用いることなく、通気口３５をそのまま大気に解放しておけば、送風機２７によって、育成室２２内の空気が空気流出口２１から空気通路２６内へ吸入されるとともに、通気口２６から外気が空気通路２６内へ吸入される。吸入された空気は、送風機２７から吹き出された後、電気ヒータ２８及び冷却コイル２９を通過して温度が調整された状態で、空気流入口２５から空気吹出室２４に供給される。空気吹出室２４に供給された空気は、加湿器３０により湿度が調整された状態で、空気吹出板２３の吹出孔２３ａから育成室２２に吹き出される。育成室２２内の空気は、前述したように空気流出口２１から空気通路２６内へ吸引される他、一部が引戸４０，４１の上下の隙間Ａ，Ｂから外部に排気される。以上の動作により、育成室２２内の圧力は大気圧に近いもののわずかに陽圧に保たれ、引戸４０，４１の上下の隙間Ａ，Ｂから外気が侵入することなく、外部の花粉、昆虫、ダニ類等の育成室２２内への侵入が阻止され、前述した従来の自然光利用植物育成装置と同様に使用することができる。
【００５１】
より一層確実に、外部の花粉、昆虫、ダニ類等の育成室２２内への侵入を阻止する必要がある場合には、図２（ｂ）に示すように、通気口３５から空気通路２６内に外気を強制的に給気させる強制給気手段を設ければよい。図２（ｂ）に示す例では、静圧を有する送風機９０の吹出側が通気口３５に接続され、送風機９０の吸入側が空気を浄化するフィルタ９１の出口側に接続され、フィルタ９１の入口側が外部に解放されている。すなわち、本例では、強制給気手段として、送風機９０が採用されている。図２（ｂ）に示す場合には、前述とほぼ同様に動作するが、送風機９０により外気がフィルタ９１を介して通気口３５から空気通路２６内に強制的に給気されることから、育成室２２内の圧力を比較的高い陽圧に保つことができるので、外部の花粉、昆虫、ダニ類等の育成室２２内への侵入を確実に阻止することができる。
【００５２】
一方、公害ガス暴露装置やバイオハザード対策装置として用いたりする場合には、図２（ｃ）に示すように、通気口３５から空気通路２６内の空気を外部に強制的に排気させる強制排気手段を設けばよい。図２（ｃ）に示す例では、静圧を有する送風機９２の吸入側が通気口３５に接続され、送風機９２の吹出側が空気を浄化するフィルタ９３の入口側に接続され、フィルタ９３の出口側が外部に解放されている。すなわち、本例では、強制排気手段として、送風機９２が採用されている。
【００５３】
図２（ｃ）に示す場合には、送風機２７，９２によって、育成室２２内の空気が空気流出口２１から空気通路２６内へ吸入される。空気通路２６内に吸引された空気の一部は、送風機９２によって通気口３５からフィルタ９３を介して外部に排気される。空気通路２６内に吸入された残りを空気は、送風機２７から吹き出された後、電気ヒータ２８及び冷却コイル２９を通過して温度が調整された状態で、空気流入口２５から空気吹出室２４に供給される。空気吹出室２４に供給された空気は、加湿器３０により湿度が調整された状態で、空気吹出板２３の吹出孔２３ａから育成室２２に吹き出される。また、送風機９０によって育成室２２内が陰圧に引かれることになるので、引戸４０，４１の上下の隙間Ａ，Ｂから外気が育成室２２内に吸入される。以上の動作により、育成室２２内の圧力は陰圧に保たれ、引戸４０，４１の上下の隙間Ａ，Ｂから育成室２２内の空気が外部へ漏れることはなく、公害ガスや育成室２２内の植物の花粉等が外部に飛散することがない。
【００５４】
そして、前記自然光利用植物育成装置では、前述した図４及び図５に示す従来の自然光利用植物育成装置における排気口１４に相当するものを特別に設ける必要がないので、その分製造が容易となり安価に提供することができる。
【００５５】
また、前記自然光利用植物育成装置によれば、引戸４０，４１の床上約３０ｃｍの部分を遮光部とするとともに、育成室２２の東側及び西側の側面の床上約３０ｃｍの部分を遮光部としているので、植物の育成に不要でありいたずらに冷却負荷を増大させていた太陽光線が前記遮光部により遮られるので、冷却負荷を削減することができ、循環風量、冷却コイル２９の容量などを小さくすることができ、省エネルギーばかりでなく省資源にも役立つものである。もっとも、本発明では、必ずしも、引戸４０，４１の床上約３０ｃｍの部分を遮光部としたり育成室２２の東側及び西側の側面の床上約３０ｃｍの部分を遮光部とする必要はない。
【００５６】
以上、本発明の一実施の形態について説明したが、本発明はこの実施の形態に限定されるものではない。
【００５７】
例えば、前記実施の形態では、２枚建ての引戸４０，４１で育成室２２の南側の側面を覆っていたが、３枚建て以上の引戸で覆ってもよいし、育成室２２の東側又は西側の側面を引戸で覆ってその側面を出入口としてもよい。また、前記実施の形態では、育成室２２の南側の側面の上下方向の全体を引戸４０，４１で覆っているが、上方向の途中までのみを引戸４０，４１で覆って残りをいわゆる嵌め殺しとしてもよいし、引戸４０，４１の下部の高さを床板（空気吹出板）２３の位置と必ずしも一致させる必要もない。
【００５８】
【発明の効果】
本発明によれば、育成室内への植物等の出し入れが容易であるとともに構造的に問題が生じ難い自然光利用植物育成装置を提供することができる。
【図面の簡単な説明】
【図１】本発明の一実施の形態による自然光利用植物育成装置を示す概略斜視図である。
【図２】本発明の一実施の形態による自然光利用植物育成装置を示す概略縦断面図である。
【図３】本発明の一実施の形態による自然光利用植物育成装置の要部拡大断面図である。
【図４】従来の自然光利用植物育成装置を示す概略斜視図である。
【図５】従来の自然光利用植物育成装置を示す概略縦断面図である。
【符号の説明】
２１  空気流出口
２２  育成室
２３  空気吹出板
２３ａ  空気吹出孔
２４  空気吹出室
２５  空気流入口
２６  空気通路
２７  送風機
２８  電気ヒータ
２９  冷却コイル
３０  加湿器
３１  ガラス板
４０，４１  引戸
Ａ，Ｂ  隙間
【図１】
0003653309.tif 000002
【図２】
0003653309.tif 000003
【図３】
0003653309.tif 000004
【図４】
0003653309.tif 000005
【図５】
0003653309.tif 000006